【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色の各インキツボキーに対応する前記刷版の各エリアの絵柄面積に応じ、各色共通として予め設定されている絵柄面積率とインキツボキーの開き量との関係に従って、各色の各インキツボキーの基準の開き量を求め、
この求めた各色の各インキツボキーの基準の開き量を一律値として各色ごとに予め設定されている補正量で補正することによって各色の各インキツボキーの開き量の設定値を求める
ようにしたことを特徴とする多色印刷機のインキ供給量調整方法。
【請求項２】  インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
インキツボキーの開き量の補正量を一律値として各色ごとに予め設定し、
この設定した補正量で各色の各インキツボキーの開き量の原点位置を補正し、  各色の各インキツボキーに対応する前記刷版の各エリアの絵柄面積に応じ、各色共通として予め設定されている絵柄面積率とインキツボキーの開き量との関係に従って、各色の各インキツボキーの開き量の設定値を求める
ようにしたことを特徴とする多色印刷機のインキ供給量調整方法。
【請求項３】  請求項１又は２において、各色ごとの前記補正量を書き換え可能としたことを特徴とする多色印刷機のインキ供給量調整方法。
【請求項４】  インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色共通として予め設定されているインキツボローラの基準の送り量を各色ごとに予め設定されている補正値で補正することによって各色のインキツボローラの送り量の設定値を求める
ようにしたことを特徴とする多色印刷機のインキ供給量調整方法。
【請求項５】  請求項４において、各色ごとの前記補正値を書き換え可能としたことを特徴とする多色印刷機のインキ供給量調整方法。
【請求項６】  請求項４において、
各色の各インキツボキーに対応する前記刷版の各エリアの絵柄面積に応じ、各色共通として予め設定されている絵柄面積率とインキツボキーの開き量との関係に従って、各色の各インキツボキーの基準の開き量を求め、
この求めた各色の各インキツボキーの基準の開き量を一律値として各色ごとに予め設定されている補正量で補正することによって各色の各インキツボキーの開き量の設定値を求める
ようにしたことを特徴とする多色印刷機のインキ供給量調整方法。
【請求項７】  請求項４において、
インキツボキーの開き量の補正量を一律値として各色ごとに予め設定し、
この設定した補正量で各色の各インキツボキーの開き量の原点位置を補正し、
各色の各インキツボキーに対応する前記刷版の各エリアの絵柄面積に応じ、各色共通として予め設定されている絵柄面積率とインキツボキーの開き量との関係に従って、各色の各インキツボキーの開き量の設定値を求める
ようにしたことを特徴とする多色印刷機のインキ供給量調整方法。
【請求項８】  請求項６又は７において、各色ごとの前記補正量を書き換え可能としたことを特徴とする多色印刷機のインキ供給量調整方法。
【請求項９】  インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色の各インキツボキーに対応する前記刷版の各エリアの絵柄面積に応じ、各色共通として予め設定されている絵柄面積率とインキツボキーの開き量との関係に従って、各色の各インキツボキーの基準の開き量を求める手段と、
この手段によって求められた各色の各インキツボキーの基準の開き量を一律値として各色ごとに予め設定されている補正量で補正することによって各色の各インキツボキーの開き量の設定値を求める手段と
を備えたことを特徴とする多色印刷機のインキ供給量調整装置。
【請求項１０】  インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
一律値として各色ごとに予め設定されているインキツボキーの開き量の補正量で各色の各インキツボキーの開き量の原点位置を補正する手段と、
各色の各インキツボキーに対応する前記刷版の各エリアの絵柄面積に応じ、各色共通として予め設定されている絵柄面積率とインキツボキーの開き量との関係に従って、各色の各インキツボキーの開き量の設定値を求める手段と
を備えたことを特徴とする多色印刷機のインキ供給量調整装置。
【請求項１１】  請求項９又は１０において、各色ごとの前記補正量が書き換え可能とされていることを特徴とする多色印刷機のインキ供給量調整装置。
【請求項１２】  インキツボキーを複数備え、これらインキツボキーの開き量の調整によってインキツボ内よりインキツボローラに供給されるインキの供給量を調整し、このインキツボローラの送り量の調整によってインキツボローラより刷版へ供給されるインキの量を調整し、この刷版に供給されたインキを印刷用紙に印刷する印刷ユニットを複数備えた多色印刷機において、
各色共通として予め設定されているインキツボローラの基準の送り量を各色ごとに予め設定されている補正値で補正することによって各色のインキツボローラの送り量の設定値を求める手段
を備えたことを特徴とする多色印刷機のインキ供給量調整装置。
【請求項１３】  請求項１２において、各色ごとの前記補正値が書き換え可能とされていることを特徴とする多色印刷機のインキ供給量調整装置。
【請求項１４】  請求項１２において、
各色の各インキツボキーに対応する前記刷版の各エリアの絵柄面積に応じ、各色共通として予め設定されている絵柄面積率とインキツボキーの開き量との関係に従って、各色の各インキツボキーの基準の開き量を求める手段と、
この手段によって求められた各色の各インキツボキーの基準の開き量を一律値として各色ごとに予め設定されている補正量で補正することによって各色の各インキツボキーの開き量の設定値を求める手段と
を備えたことを特徴とする多色印刷機のインキ供給量調整装置。
【請求項１５】  請求項１２において、
一律値として各色ごとに予め設定されているインキツボキーの開き量の補正量で各色の各インキツボキーの開き量の原点位置を補正する手段と、
各色の各インキツボキーに対応する前記刷版の各エリアの絵柄面積に応じ、各色共通として予め設定されている絵柄面積率とインキツボキーの開き量との関係に従って、各色の各インキツボキーの開き量の設定値を求める手段と
を備えたことを特徴とする多色印刷機のインキ供給量調整装置。
【請求項１６】  請求項１４又は１５において、各色ごとの前記補正量が書き換え可能とされていることを特徴とする多色印刷機のインキ供給量調整装置。